(57)【特許請求の範囲】
【請求項１】
胴部上端から口頸部２を起立した容器体１と、
上記口頸部外面へ嵌合させた装着筒11から、下部内面に吸込み弁50を有するシリンダ12を垂下したシリンダ付き部材10と、
上記シリンダ12内面へ嵌合させた筒状ピストン21からステム22を起立して、該ステム上端にノズル23付き押下げヘッド24を装着させ、かつ吐出路の一部に吐出弁25を設けた作動部材20と、
該作動部材を上方付勢するスプリング30と、
上記ステム22を挿通させて、シリンダ12の上部内面に嵌着させた雌螺子筒40とからなり、
輸送時には、作動部材20を押下げして雌螺子筒40へステム22上部を螺合させる液体吐出容器において、
上記吸込み弁50を、シリンダ12の下部内面に付設した内向きフランジ状で中央部に吸込み弁孔51を有する弁座52と、該弁座上に載置させた頭部54下面から吸込み弁孔51へ挿通させて脚棒57を垂下するポペット状弁体53とで形成し、
該弁体の頭部54を、上記弁座52上へ着脱して吸込み弁孔51を開閉する底板部55外周から短筒部56を起立させ、かつ該短筒部の内面に第１係合突部56ａを複数縦設して形成し、
又上記雌螺子筒40へステム22上部を螺合させた状態では、ステム22下端から垂下した棒部29下部が上記短筒部56内へ遊嵌可能に設けて、該短筒部内方の棒部部分外面に、雌螺子筒40からステム22上部を螺脱させるときに上記第１係合突部56ａへ係合可能な第２係合突部29ａを複数縦設した
ことを特徴とする液体吐出容器。
【発明の詳細な説明】
【０００１】
【発明の属する技術分野】
本発明は、縦型ポンプ付きの液体吐出容器に関する。
【０００２】
【従来の技術】
この種縦型ポンプ付き容器は、従来数多く提案されており（例えば実開平１−128859号, 実開平２-81653号）、容器体内へ垂下するシリンダ内から、ステム下端に筒状ピストンを、かつステム上端にノズル付き押下げヘッドを、それぞれ有する作動部材を上方付勢して起立し、押下げヘッドを介して作動部材を押下げると、シリンダ内底部に設けた吸込み弁が閉じてシリンダ内液体が加圧されて、ステム内部に設けた吐出弁が開弁して加圧液体がノズルから吐出され、又押下げヘッドを解放すると、筒状ピストンが上昇してシリンダ内が負圧化し、吸込み弁が開弁して吸上げパイプから容器体内収納液をシリンダ内へ吸上げるよう形成している。
【０００３】
【発明が解決しようとする課題】
この種容器では、流通過程で容器を一回横倒しにすると、容器体内収納液が吸上げパイプを通って吸込み弁体或いは弁座に付着し、すると容器を正立に戻したとき、この付着液体が乾燥して液体成分が固化すること等で、吸込み弁体が弁座へ付着することがあり、吸込み弁体と弁座との結合が弱い場合には、押下げヘッドの空押しでシリンダ内が負圧化した際、吸込み弁体が吸上げられて弁座から離れることもあるが、これによっても吸込み弁体が弁座から離れないで吐出不能となることがあった。
【０００４】
本発明は、ステム下端から垂下した棒部外面と吸込み弁体とに係合突部をそれぞれ縦設し、かつ棒部を所定位置でステムを介して回動させたときに、それ等係合突部が相互に係合して、吸込み弁体を弁座に対して回動させるよう設けることで、吸込み弁体が弁座へ接着した場合に、弁座から吸込み弁体を簡単に分離することができるよう設けた。
【０００５】
【課題を解決するための手段】
胴部上端から口頸部２を起立した容器体１と、
上記口頸部外面へ嵌合させた装着筒11から、下部内面に吸込み弁50を有するシリンダ12を垂下したシリンダ付き部材10と、
上記シリンダ12内面へ嵌合させた筒状ピストン21からステム22を起立して、該ステム上端にノズル23付き押下げヘッド24を装着させ、かつ吐出路の一部に吐出弁25を設けた作動部材20と、
該作動部材を上方付勢するスプリング30と、
上記ステム22を挿通させて、シリンダ12の上部内面に嵌着させた雌螺子筒40とからなり、
輸送時には、作動部材20を押下げして雌螺子筒40へステム22上部を螺合させる液体吐出容器において、
上記吸込み弁50を、シリンダ12の下部内面に付設した内向きフランジ状で中央部に吸込み弁孔51を有する弁座52と、該弁座上に載置させた頭部54下面から吸込み弁孔51へ挿通させて脚棒57を垂下するポペット状弁体53とで形成し、
該弁体の頭部54を、上記弁座52上へ着脱して吸込み弁孔51を開閉する底板部55外周から短筒部56を起立させ、かつ該短筒部の内面に第１係合突部56ａを複数縦設して形成し、
又上記雌螺子筒40へステム22上部を螺合させた状態では、ステム22下端から垂下した棒部29下部が上記短筒部56内へ遊嵌可能に設けて、該短筒部内方の棒部部分外面に、雌螺子筒40からステム22上部を螺脱させるときに上記第１係合突部56ａへ係合可能な第２係合突部29ａを複数縦設した。
【０００６】
【発明の実施の形態】
本発明容器は、一部構造を除いて公知であり、先ず、公知の構造から説明すると、図中１は容器体であり、該容器体は、胴部上端から肩部を介して口頸部２を起立している。
【０００７】
10はシリンダ付き部材であり、該シリンダ付き部材は、容器体口頸部螺合用の装着筒11を有し、該装着筒の上端部内面に、シリンダ12が上部に有する外向きフランジ13の外周面を嵌合させている。又シリンダ12は、筒壁を外向きフランジ13上方へ延長形成して、該延長形成部分を後述雌螺子筒嵌合用の筒部とし、かつ下方筒壁部分を上下二段の上向き段部を介して小内径部12ａとして、該小内径部の中間内面に後述する吸込み弁50を設けると共に、該吸込み弁下方の小内径部分内面へ吸上げパイプ13の上部を嵌着させている。
【０００８】
20は作動部材であり、該作動部材は、上記シリンダ12内面へ嵌合させた筒状ピストン21から有底のステム22を起立すると共に、該ステム上端にノズル23付き押下げヘッド24を装着させ、かつ吐出路の一部に吐出弁25を設けている。該吐出弁は、ステム22下端に付設した外向きフランジ状弁座26上へ、可動弁体27の内筒27ａ下端面を着脱させることで、ステム22下部に穿設した吐出弁孔28を開閉するよう設けたものであり、可動弁体27は、中間部を相互に結合させた内外二重筒で形成され、外筒は、筒状ピストン21として上記シリンダ12の内面へ嵌合され、又内筒27ａは、上部内面にステム22下部外面に嵌合させた起立壁部27ｂを有し、かつステム22に対して一定範囲で上下摺動可能であり、図示のように可動弁体27がステム22に対して上限に位置したとき、シリンダ12とステム22とが上記吐出弁孔28を介して連通し、又可動弁体27がステム22に対して下限に位置したとき、内筒27ａの下端面が上記外向きフランジ状弁座26へ着座して吐出弁孔28を閉ざすよう形成している。
【０００９】
30は、上記作動部材20を上方付勢するスプリングである。
【００１０】
40は、雌螺子筒であり、該雌螺子筒は、外面をシリンダ12の上部内面に嵌合させ、かつ内面へステム22上部を螺合させると共に、上方筒壁部分外面から外向きフランジ41を介して内外二重に筒部を垂下し、内方側の筒部42をシリンダ12の上部外面に嵌合固着させている。
【００１１】
本発明では、吸込み弁50を、シリンダ12の下部内面に付設した内向きフランジ状で中央部に吸込み弁孔51を有する弁座52と、ポペット状弁体53とで形成している。該ポペット状弁体は、上記弁座52上に載置させた頭部54を有し、該頭部は、弁座52上に着脱して上記吸込み弁孔51を開閉する底板部55と、該底板部の外周から起立され、かつ内面に複数の第１係合突部56ａを等間隔に縦設した短筒部56とで形成されている。又上記底板部55の下面中央部からは、上記吸込み弁孔51を挿通させて横断面十字形の脚棒57を垂下すると共に、該脚棒の下部外面に抜け止め突部57ａを付設し、シリンダ12内負圧化によりポペット状弁体53が上昇した際、抜け止め突部57ａ上面が上記弁座52の下面内周に係合するよう形成している。
【００１２】
又本発明では、ステム22下端から棒部29を垂下して、該棒部の下部を上記ポペット状弁体の短筒部56内上部に遊嵌させると共に、その棒部29外面に複数の第２係合突部29ａを等間隔に縦設し、図１が示す状態からステム22上部を雌螺子筒40から螺脱させるときに、その第２係合突部29ａ上部と上記第１係合突部56ａ下部とが相互に係合して、上記ポペット状弁体53を弁座52に対して回動させることが可能に設けている。
【００１３】
図示のようにステム22上部を雌螺子筒40へ螺合させた状態から、押下げヘッド24を介してステム22を回動させると、第１, 第２係合突部56ａ, 29ａ部分が相互に係合して、ポペット状弁体53が弁座52に対して回動するため、ポペット状弁体の底板部55下面外周部が弁座52へ付着した場合には、ポペット状弁体53が弁座52から分離され、かつポペット状弁体53は、シリンダ内負圧化により吸上げされる液体により押上げられて開弁し、又自重で下降して閉弁する。
【００１４】
【発明の効果】
本発明は、請求項１記載の構造としたから、図示状態からステム22上部を雌螺子筒40から螺脱させるときに、第１, 第２係合突部56ａ, 29ａが相互に係合して、ポペット状弁体53が弁座52に対して回動することとなり、よって、ポペット状弁体の底板部55下面外周が弁座52へ付着した場合でも弁座から簡単に分離できる。
【図面の簡単な説明】
【図１】  本発明液体吐出器の一実施形態を示す縦断面図である。
【符号の説明】
10…シリンダ付き部材  20…作動部材  50…吸込み弁
53…ポペット状弁体
【図１】
0003751503.tif 000002